(57)【要約】      （修正有）【課題】抱持部材の位置調節をワンタッチで素早く且つ簡便に行うことができる竪樋支持具を提供することをその課題とする。【解決手段】抱持部材１は竪樋Ｔを抱持する抱持部１１と俸状のスライド足体３とより成り、上記取付部材２は建物の壁などに固着される取付部４２と円筒状の固定足体４とより成り、上記スライド足体３の端部には凸部３２が形成され、上記固定足体４には受筒部４３にスライド用のガイド溝部４４が形成されており、スライド足体３の凸部３２が固定足体４のガイド溝部４４に回動及び前後動することにより、抱持部材１と取付部材２が進退調整可能に連結する。【選択図】図１
2006233519.tif 000002
【特許請求の範囲】
【請求項１】
竪樋を抱持する抱持部材と、建物の壁などに固着される取付部材とより成り、前記抱持部材が進退調整可能に連結された竪樋支持具であって、上記抱持部材は竪樋を抱持する抱持部と俸状のスライド足体とより成り、上記取付部材は建物の壁などに固着される取付部と円筒状の固定足体とより成り、上記スライド足体の端部には凸部が形成され、上記固定足体には受筒部にスライド用のガイド溝部が形成されており、スライド足体の凸部が固定足体のガイド溝部に回動及び前後動することにより、抱持部材と取付部材が進退調整可能に連結された竪樋支持具。
【発明の詳細な説明】
【技術分野】
【０００１】
本発明は、一般住宅やビルなどの建物の壁面等に沿って配される竪樋を抱持支承する竪樋支持具に関し、詳しくは、竪樋を抱持する抱持部材と、建物の壁などに固着される取付部材とが進退調節可能に連結された竪樋支持具に関する。
【背景技術】
【０００２】
竪樋を抱持する抱持部材と、建物の壁などに固着される取付部材とが進退調節可能に連結された竪樋支持具に関しては既に種々の技術が知られている。図２は、従来の竪樋支持具を示した斜視図である。
【０００３】
この竪樋支持具１００は、竪樋Ｔを抱持する開閉式の抱持部材１０１と、建物の壁などに固着される取付部材１０２とが進退調節可能に連結されている。
【０００４】
この取付部材１０２は、抱持部材１０１に固着されるスライド足片１０３と、建物の壁などに固着される固定足片１０４とが進退調節可能に連結されてなる。
【０００５】
取付部材１０２のスライド足片１０３には、１以上の軸孔１１３が間隔をあけて開設されており、取付部材１０２の固定足片１０４には、軸孔１１３と重合する長孔１１４が開設されている。
【０００６】
また、この軸孔１１３と長孔１１４には、上方から連結ボルト１０５が貫通されて、その下端に蝶ナット１０６を蝶合している。
【０００７】
このような竪樋支持具１００は、建物の壁などに固定足片１０４の取付片１２４を釘等で固定し、その長孔１１４とスライド足片１０３の軸孔１１３とを重合させると共に、抱持部材１０１が所望の位置となるようにして進退調節させる。
【０００８】
そして、抱持部材１０１が所望の位置となったときに、蝶ナット１０６を締め付けることで、固定足片１０４とスライド足片１０３とを連結させて固定したうえで、抱持部材１０１に竪樋Ｔを取り付けるのである。
【特許文献１】特開２０００−３２００９７号公報
【発明の開示】
【発明が解決しようとする課題】
【０００９】
しかしながら、所望の位置に位置決めされた抱持部材１０１を、連結ボルト１０５と蝶ナット１０６で一々螺合する作業は面倒である。
【００１０】
特に、一旦位置決めされた抱持部材１０１の位置を再度調整するときには、蝶ナット１０６を弛めたうえで、再調整を行い、更にこれを締め付ける必要があり、極めて面倒であり手間がかかるなどの問題があった。
【００１１】
本発明は、かかる課題を解決することを目的とするもので、抱持部材の位置調節をワンタッチで素早く且つ簡便に行うことができる竪樋支持具を提供することをその課題とする。
【課題を解決するための手段】
【００１２】
上記課題を解決するために、本発明においては、つぎのような技術的手段を講じている。すなわち、本発明によれば、竪樋を抱持する抱持部材と、建物の壁などに固着される取付部材とより成り、前記抱持部材が進退調整可能に連結された竪樋支持具であって、上記抱持部材は竪樋を抱持する抱持部と俸状のスライド足体とより成り、上記取付部材は建物の壁などに固着される取付部と円筒状の固定足体とより成り、上記スライド足体の端部には凸部が形成され、上記固定足体には受筒部にスライド用のガイド溝部が形成されており、スライド足体の凸部が固定足体のガイド溝部に回動及び前後動することにより、抱持部材と取付部材が進退調整可能に連結されている。
【発明の効果】
【００１３】
このような本発明に係る竪樋支持具によれば、抱持部材の位置調節をワンタッチで素早く且つ簡便に行うことができる。竪樋保持具において出寸法の変更が素早く且つ簡便にできる。
【発明を実施するための最良の形態】
【００１４】
以下、本発明の実施形態について図面を参照して、詳細に説明する。図１は、本発明に係る竪樋支持具を示す斜視図である。図１からよくわかるように、上記竪樋支持具Ａは、竪樋Ｔを抱持する抱持部材１と、建物の壁などに固着される取付部材２とより成り、前記抱持部材１が進退調整可能に連結された竪樋支持具Ａであって、上記抱持部材１は竪樋Ｔを抱持する抱持部１１と俸状のスライド足体３とより成り、上記取付部材２は建物の壁などに固着される取付部４２と円筒状の固定足体４とより成り、上記スライド足体３の端部には凸部３２が形成され、上記固定足体４には受筒部４３にスライド用のガイド溝部４４が形成されており、スライド足体３の凸部３２が固定足体４のガイド溝部４４に回動及び前後動することにより、抱持部材１と取付部材２が進退調整可能に連結された竪樋支持具Ａである。
【００１５】
上記竪樋支持具Ａは、竪樋Ｔを抱持する抱持部材１と建物の壁などに固着される取付部材２とが別体で構成する。
【００１６】
出調整時は、抱持部材１を捻った状態で前後にスライドさせて調節し、任意の位置で抱持部材１を水平位置にする。スライド足体３の凸部３２が固定足体４のガイド溝部４４の保持孔４５の位置に位置する。よって、竪樋Ｔを壁に平行に保持することができる。
【００１７】
竪樋施工後は、竪樋Ｔにて抱持部材１は水平に保たれるため、前後に動くことはない。固定時のスライド足体３の凸部３２が固定足体４のガイド溝部４４の保持孔４５の位置から外れることがない。
【００１８】
以上、本発明の実施例を図面により詳述してきたが、具体的な構成は上記の実施例に限定されず、本発明の要旨を逸脱しない範囲の設計変更などがあっても本発明に含まれる。たとえば、上記実施例では、竪樋支持具の形状を円筒状の竪樋に適応するようにしたが、適用される竪樋の断面形状に対応させて、決めればよいものである。
【図面の簡単な説明】
【００１９】
【図１】本発明に係る竪樋支持具を示す斜視図である。
【図２】従来の竪樋支持具を示した斜視図である。
【符号の説明】
【００２０】
Ａ          竪樋支持具
Ｔ          竪樋
１          抱持部材
２          取付部材
３          スライド足体
３１        足本体
３２        凸部
４          固定足体
４１        取付孔
４２        取付部
４３        受筒部
４４        ガイド溝部
４５        保持孔
【図１】
2006233519.tif 000003
【図２】
2006233519.tif 000004